(57)【要約】  【課題】コンパクトで経済的なハーフのダミーを採用しながらも、保持力に優れ、品質や耐久性に優れた自動販売機におけるディスプレー用ダミーの取り付け構造を提供できるようにする。【解決手段】ディスプレー用ダミーを、弾性を有する合成樹脂材料で成形された断面半円状若しくは半円の端部から後方に延長部を形成されたダミー本体と、ダミー本体の下方に一体に成型された嵌合部で構成し、嵌合部を平面視において半円状に形成し、ステージの嵌合用孔に底部分が当接して嵌合する溝部分を有し、溝部分の半径を嵌合用孔の半径より大きく形成して、嵌合部を嵌合用孔の周縁部に嵌合させてディスプレー用ダミーをステージに取り付けたとき、溝部分の端部が嵌合用孔の直径部分を越えた後方側に位置するようにした。【選択図】図６
2008107973.tif 000002
【特許請求の範囲】
【請求項１】
自動販売機のディスプレー部分に設けられたステージの略円形の嵌合用孔に、半割り状のディスプレー用ダミーの下端部が取り付けられて使用される自動販売機におけるディスプレー用ダミーの取り付け構造であって、ディスプレー用ダミーは弾性を有する合成樹脂材料で成形された断面半円状若しくは半円の端部から後方に延長部を形成されたダミー本体と、ダミー本体の下方に一体に成型された嵌合部とからなり、嵌合部は平面視において半円状に形成され、前記ステージの嵌合用孔に底部分が当接して嵌合する溝部分を有し、当該溝部分の外周部分を複数の半径で構成した円弧の連続により嵌合用孔の半径より大きい半円状に形成し、当該半円状の嵌合部分を弾性変形させて嵌合用孔の周縁部を前記溝の外周部分に挿入して弾性復帰させ、溝の外周部分を嵌合用孔の周縁部に嵌合させてディスプレー用ダミーをステージに取り付けたとき、前記溝部分の端部が嵌合用孔の直径部分を越えた後方側に位置するようにしたことを特徴とする自動販売機におけるディスプレー用ダミーの取り付け構造。
【請求項２】
自動販売機のディスプレー部分に設けられたステージの略円形の嵌合用孔に、半割り状のディスプレー用ダミーの下端部が取り付けられて使用される自動販売機におけるディスプレー用ダミーの取り付け構造であって、ディスプレー用ダミーは弾性を有する合成樹脂材料で成形された断面半円状若しくは半円の端部から後方に延長部を形成されたダミー本体と、ダミー本体の下方に一体に成型された嵌合部とからなり、嵌合部は平面視において半円状に形成され、前記ステージの嵌合用孔に底部分が当接して嵌合する溝部分を有し、当該溝部分の半径を嵌合用孔の半径より大きく形成し、半割りの嵌合部分を弾性変形させて嵌合用孔の周縁部に挿入し弾性復帰させて当該部分を嵌合用孔の周縁部に嵌合させてディスプレー用ダミーをステージに取り付けたとき、前記溝部分の端部が嵌合用孔の直径部分を越えた後方側に位置するようにしたことを特徴とする自動販売機におけるディスプレー用ダミーの取り付け構造。
【請求項３】
複数の半径で構成した円弧の連続により形成されることにより形成される溝部分の外周部分に補強用窪みを形成したことを特徴とする請求項１に記載の自動販売機におけるディスプレー用ダミーの取り付け構造。
【請求項４】
嵌合部が、嵌合用孔に嵌合する半円状の周縁の両端近傍部で、嵌合用孔の一部に沿う状態で設けられた嵌合用突起部と、周縁の中央側に設けられた嵌合用突起と、これら嵌合用突起部並びに嵌合用突起に対面するダミーの底部で底面視において嵌合用突起部並びに嵌合用突起と干渉しない位置に形成された挟持用突起とで構成する一方、嵌合用孔は前記嵌合部が嵌着される円弧状の周縁部と、この円弧状の周縁部の一部に設けた位置合わせ用被掛合部とで構成したことを特徴とする請求項１または請求項２に記載の自動販売機におけるディスプレー用ダミーの取り付け構造。
【請求項５】
ディスプレー用ダミーが真空成形若しくは圧空成形により形成したことを特徴とする請求項１または請求項２に記載の自動販売機におけるディスプレー用ダミーの取り付け構造。
【発明の詳細な説明】
【技術分野】
【０００１】
本発明は、コーヒー、ジュース、ビールやお茶などの容器入りの飲料、あるいは、煙草、乾電池等を無人販売するための自動販売機のディスプレー部分に取り付けられるディスプレー用ダミー（展示用商品の模造品）の取り付け構造に関するものである。
【背景技術】
【０００２】
例えば、ペットボトル等の容器に入った各種飲料やその他の商品の自動販売機においては、その前面のディスプレー部分にステージを設け、このステージにディスプレー用ダミーを設置するのであるが、従前では販売される商品と同形状で下部に嵌合部を形成したディスプレー用ダミーを形成し、この嵌合部をステージに穿設した嵌合用孔に嵌合させるようにしていた。
【０００３】
こうしたものでは、コストが高くなることから、近年ハーフと言われる半割りのディスプレー用ダミーが用いられており、斯かるディスプレー用ダミーが半割りのものの場合、ドアの開け閉め時の振動や風圧でステージに設置されたダミーが傾いたりずれたり外れたりするおそれがある。
そこでこうした問題に対処するために、販売する商品を包装し蓋を備えた容器の形状を有する部材を縦に割った形状の本体と、この本体の下部に連設され、かつ自動販売機の展示部の架台部に設けられたほぼ円形状の開口に係止させることが可能な横断面視ほぼＣ字形状の挿入部とからなり、この挿入部には、その外周面よりも外側へ突出し前記開口に係止させることが可能な突条となる係止部と底面とが形成され、前記本体の左右側面を内側へ付勢して変形させることによって、自動販売機の展示部に対して着脱自在となるように構成してある見本体であって、さらに、その左右両側に後方に向かって延びる延長部分が形成されてなるものが先に提案されている。
【０００４】
ところが、この先の提案にかかるものでは、横断面視ほぼＣ字形の部分とその左右両側に後方に向かって延びる延長部分とで挿入部が形成されていることから、挿入部が円形状の開口の周縁部分に密着せず、ダミーを嵌合させるステージの板金の厚みが、自動販売機メーカー各社で若干の違いがあり、板金のコストダウンで厚みを薄くする場合も同様に保持力が弱くなると言う致命的な問題があった。
特に、真空成形により横断面視ほぼＣ字形の部分とその左右両側に後方に向かって延びる延長部分を形成したものでは、深絞りのように合成樹脂シートが伸ばされることから、当該挿入部の肉厚が極めて薄く強度も低く、十分な保持力が得られないうえ、装着時に円形状の開口の周縁部分で傷ついたり、破れを生じたりし、品質や耐久性にも問題があった。
【特許文献１】特開２００１−３１９２６９号公報
【発明の開示】
【発明が解決しようとする課題】
【０００５】
本発明は上記問題点に鑑みて提案されたもので、コンパクトで経済的なハーフのダミーを採用しながらも、保持力に優れ、品質や耐久性に優れた自動販売機におけるディスプレー用ダミーの取り付け構造を提供できるようにすることを目的とするものである。
【課題を解決するための手段】
【０００６】
上記目的を達成するために本発明にかかる自動販売機におけるディスプレー用ダミーの取り付け構造は、自動販売機のディスプレー部分に設けられたステージの略円形の嵌合用孔に、半割り状のディスプレー用ダミーの下端部が取り付けられて使用される自動販売機におけるディスプレー用ダミーの取り付け構造であって、ディスプレー用ダミーは弾性を有する合成樹脂材料で成形された断面半円状若しくは半円の端部から後方に延長部を形成されたダミー本体と、ダミー本体の下方に一体に成型された嵌合部とからなり、嵌合部は平面視において半円状に形成され、前記ステージの嵌合用孔に底部分が当接して嵌合する溝部分を有し、当該溝部分の半径を嵌合用孔の半径より大きく形成し、半割りの嵌合部分を弾性変形させて嵌合用孔の周縁部に挿入し弾性復帰させて当該部分を嵌合用孔の周縁部に嵌合させてディスプレー用ダミーをステージに取り付けたとき、前記溝部分の端部が嵌合用孔の直径部分を越えた後方側に位置するようにしたことを特徴とするものである。
【０００７】
また、本発明の自動販売機におけるディスプレー用ダミーの取り付け構造では、自動販売機のディスプレー部分に設けられたステージの略円形の嵌合用孔に、半割り状のディスプレー用ダミーの下端部が取り付けられて使用される自動販売機におけるディスプレー用ダミーの取り付け構造であって、ディスプレー用ダミーは弾性を有する合成樹脂材料で成形された断面半円状若しくは半円の端部から後方に延長部を形成されたダミー本体と、ダミー本体の下方に一体に成型された嵌合部とからなり、嵌合部は平面視において半円状に形成され、前記ステージの嵌合用孔に底部分が当接して嵌合する溝部分を有し、当該溝部分の外周部分を複数の半径で構成した円弧の連続により嵌合用孔の半径より大きい半円状に形成し、当該半円状の嵌合部分を弾性変形させて嵌合用孔の周縁部を前記溝の外周部分に挿入して弾性復帰させ、溝の外周部分を嵌合用孔の周縁部に嵌合させてディスプレー用ダミーをステージに取り付けたとき、前記溝部分の端部が嵌合用孔の直径部分を越えた後方側に位置するようにしたことも特徴とするものである。
【０００８】
また、本発明にかかる自動販売機におけるディスプレー用ダミーの取り付け構造では、複数の半径で構成した円弧の連続により形成されることにより形成される溝部分の外周部分に補強用窪みを形成したことや、嵌合部が、嵌合用孔に嵌合する半円状の周縁の両端近傍部で、嵌合用孔の一部に沿う一に設けられた嵌合用突起部と、周縁の中央側に設けられた嵌合用突起と、これら嵌合用突起部並びに嵌合用突起に対面するダミーの底部で底面視において嵌合用突起部並びに嵌合用突起と干渉しない位置に形成された挟持用突起とで構成する一方、嵌合用孔は前記嵌合部が嵌着される円弧状の周縁部と、この円弧状の周縁部の一部に設けた位置合わせ用被掛合部とで構成したこと、更にダミーが合成樹脂シートを真空成形若しくは圧空成形により形成したことも特徴とするものである。
【発明の効果】
【０００９】
本発明の自動販売機におけるディスプレー用ダミーの取り付け構造によれば、平面視において半円状に形成され、前記ステージの嵌合用孔に底部分が当接して嵌合する溝部分を有する嵌合部の、溝部分の半径を嵌合用孔の半径より大きく形成し、半割りの嵌合部分を弾性変形させて嵌合用孔の周縁部に挿入し弾性復帰させて当該部分を嵌合用孔の周縁部に嵌合させてディスプレー用ダミーをステージに取り付けたとき、前記溝部分の端部が嵌合用孔の直径部分を越えた後方側に位置当接するようにしてある。
これにより、半円状の溝の略全外周が嵌合用孔に当接するので、ディスプレー用ダミーを嵌合用孔に確りと保持することができる。
【００１０】
また、嵌合用孔に嵌着した嵌合部の溝の端部が、嵌合用孔の直径部分を越えて徐々に小径となる後方側部分に当接するので、当該溝の端部の拡開力により、嵌合部分を前方に押し出す力が発生し、上記の半円状の溝の略全外周が嵌合用孔に当接してディスプレー用ダミーを嵌合用孔に確りと保持できるのと相俟って、ディスプレー用ダミーを嵌合用孔に強力に保持することができる。
【００１１】
更に、半割り状の周縁の両端近傍部に設けられた嵌合用突起部と、周縁の中央側に設けられた嵌合用突起とこれら嵌合用突起部並びに嵌合用突起に対面するダミーの底部で、底面視において嵌合用突起部並びに嵌合用突起と干渉しない位置に形成された挟持用突起と、位置合わせ用掛合部とで構成した嵌合部を、ステージの嵌合用孔に直接嵌着させてディスプレー用ダミーをステージに設置するようにしたものでは、嵌合用突起とこの嵌合用突起と干渉しない位置に形成された挟持用突起とを設けたものでは、これら嵌合用突起とコン嵌合用突起とでステージの嵌合用孔の上下を挟むこととなり、ガタツキをも防止して自動販売機のドアを開閉した時の風圧や振動でもディスプレー用ダミーが傾いたりずれたり外れたりするのを防止できる。
【発明を実施するための最良の形態】
【００１２】
以下、本発明の自動販売機におけるディスプレー用ダミーの取り付け構造の最も好ましいにかかる実施の形態を図面に基づいて説明する。
図１は自動販売機の斜視図であって、図中符号１は自動販売機を全体的に示す。
図中符号２は商品補充のために開閉自在に設けられた前面扉であり、その上部には、商品と略同寸法に形成された缶タイプのディスプレー用ダミー３や、ポリエチレンテレフタレート（Ｐ．Ｅ．Ｔ）製ボトル（所謂ペットボトル）タイプのディスプレー用ダミー４を展示するためのディスプレー室５が上下二段に設けられ、前面扉２には上記ダミー３・４に関連する商品選択用の押しボタン６・６・・・が配設されている。
また、前面扉２の下部側には商品取り出し口７が設けられており、この他にも図中符号８で示す金銭投入口や釣銭口９及び金銭返却用の操作レバー１０が設けられている。
【００１３】
ディスプレー室５の内部にはダミー３・４の取り付け面となるステージ１１が設けられている。
このステージ１１は金属製帯板を側面視において下向き「コ」の字形に形成されたもので、上面部分のダミー３・４を取り付ける位置には後述するダミー３・４の下部に形成された嵌合部１２を嵌合させるための嵌合用孔１３が穿設されている。
嵌合用孔１３は図１に示すように、ステージ１１の内方に設置された蛍光灯１４の光をディスプレー用ダミー３・４の内方から照射させて商品を浮かび上がらせるための光透過孔を兼ねるもので、ダミー３・４の径よりも小径に形成された円形を基調とし、その周縁部の対称位置の夫々には、図２中に二点鎖線で示すように、大小の半円形窪みからなる位置合わせ用被掛合部１５・１６を設けて形成される場合が多い。
【００１４】
一方、ステージ１１に設置されるディスプレー用ダミー３・４は図３乃至図５に示すように形成される。
即ち、ディスプレー用ダミー３・４は、耐熱、耐候性に優れたポリカーボネイト製の透明シートの一面に商品と同様の印刷を施し、この印刷面が内方になるように真空成型により、ダミー本体とその下部にステージの嵌合孔に嵌合する嵌合部とを半割り状に成形したもので、嵌合部１２は真空成型と同時に一体に形成される。
ここで、本発明に言うダミー本体１７における半割り状とは、円筒状の商品の真半分だけでなく、図４に示すように両端部を長く延長した部分１８を有するものをも含む。
【００１５】
そして、ダミー本体１７の下部に一体形成される嵌合部１２は、平面視において略半円状に形成され、ステージ１１の嵌合用孔１３に嵌合する溝部分１９が形成されており、この当該溝部分１９はダミー本体１７の底部２０とステージ１１の嵌合用孔１３の板厚分より僅かに広い隙間２２を介して設けられた後述する嵌合用突起部２１との間に形成され、半円状の溝部分１９の外周面（底面）１９ａは、後述するように複数の円弧ａ・ｂ・ｃからなり、嵌合用孔１３の半径ｒ１より大きく形成してある。
ここで、溝部分１９が形成される隙間２２をステージ１１の嵌合用孔１３の板厚分より僅かに広くしてあるのは、この隙間２２を含む溝部分１９が合成樹脂シートを真空成形で伸ばされて形成されることから、伸ばされる部分の面積を可能な限り広くすることにより、隙間２２を含む溝部分１９を形成する箇所の肉厚が薄くなりすぎないようにするためである。
【００１６】
因みに上述したように、隙間２２は広いほうが有利であるが、広くすると上下方向にガタツキを生じやすくなるとともに、ディスプレー用ダミー３・４を設置したときにダミー本体１７とステージの上面との間が開き見苦しくなる。
そこで、上記隙間２２は見苦しくならない程度に広くした上で上下方向にガタツキを後述する挟持用突起２３で防止するようにしてある。
【００１７】
上記嵌合用突起部２１は、嵌合部１２の底面２４の外周の前端部２箇所と左右部分にそれぞれ設けられており、嵌合用突起２１の隙間に側面視で三角形の上記挟持用突起２３が突出形成されている。
この三角形の挟持用突起２３は、例えば厚さが約１ミリ前後と薄いステージ１１の嵌合用孔１３の周縁部分１２を挟持して上下のガタツキを防止する。
尚、上記三角形の挟持用突起２３は図上３つにしてあるがその数は１つまたは２つでもよいし、４つ以上にすることができるのは勿論のことである。
また、嵌合用孔１３に大小の半円形窪みからなる位置合わせ用被掛合部１５・１６を設けたものでは、これに対応する部分の嵌合部１２に、正規位置でこれらに嵌合する半円状の位置合わせ用掛合部２５が形成される（位置合わせ用被掛合部１６に対応する位置合わせ用掛合部は図示を省略している）。
【００１８】
上記溝部分１９の半円の形状は、図６に示すように、略円形の嵌合用孔１３の半径ｒ１より小さい半径ｒ２で、それぞれ異なる中心Ｏ・Ｐ・Ｑを持つ複数（３つ）の円弧ａ・ｂ・ｃを連続させて半円状にするとともに、当該半円状の溝部分１９の後方端部１９ｂは、自由状態では嵌合用孔１３の最大径（直径）部分より外側に位置するように形成してある。
このように、溝部分１９を嵌合用孔１３の半径ｒ１より小さい半径ｒ２で且つ、異なる中心Ｏ・Ｐ・Ｑで形成される複数の円弧ａ・ｂ・ｃを連続させて半円状にすると図６中に部分拡大して示すように、隣り合う円弧同士ａ・ｂ・ｃの端部に窪み部２６が形成され、この窪み部２６が溝部分１９を補強する。
【００１９】
上記のように構成されたディスプレー用ダミー３・４をステージ１１に取り付ける場合を次に説明する。
図７に示すようにディスプレー用ダミー３・４の嵌合部１２の両端近傍を指で挟み持ち、嵌合用孔１３の周面部分が、嵌合部１２の周縁に形成された嵌合用突起１６とダミー本体１７の底部分２０に形成された挟持用突起２３との間の溝部分１９に挿入されるように差し込む。
次に、手に持った嵌合部１２の近傍部分を弾性変形させて嵌合部１２の周縁の両端近傍部に形成した嵌合用突起部２１を、嵌合用孔１３の周縁部分を潜らせた後、指をディスプレー用ダミー３・４の嵌合部１２から離して当該部分を弾性復帰させる。
【００２０】
嵌合部１２が弾性復帰すると、嵌合用突起部２１と、ダミー本体１７の底部分２０に形成されている側面視三角形の挟持用突起２３との間で嵌合用孔１３の周縁が挟持されるとともに、図８に示すように嵌合用孔１３に嵌着した嵌合部１２の溝部分１９の後方端部１９ｂが、嵌合用孔１３の直径部分を越えて徐々に小径となる後方側部分に当接する。
この溝部分１９の後方端部１９ａの弾性復帰力（拡開力）により、溝部分１９の後方端部１９ａが嵌合用孔１３の大径部分（直径部分）側に移行させる力、即ち、嵌合部１２を前方に押し出す力が発生するので、上記の半円状の溝部分１９の略全外周が嵌合用孔１３に当接してディスプレー用ダミー３・４を嵌合用孔１３に確りと保持することができ、ディスプレー用ダミー３・４はステージ１１に取り付けられた状態になる。
【００２１】
そして、ステージ１１に取り付けられたディスプレー用ダミー３・４の位置が正規の位置からずれている場合には、ディスプレー用ダミー３・４をステージ１１に取り付けられた状態で回動させるだけで、ディスプレー用ダミー３・４を回動させることができ、正規位置にすると取り付け操作が終了する。
また、嵌合用孔１３に位置合わせ用被掛合部１５・１６を形成し、嵌合部１２に位置合わせ用掛合部２５を形成擦るようにしたものでは、これら位置合わせ用被掛合部１５・１６と、位置合わせ用掛合部２５とを掛合させるだけでディスプレー用ダミー３・４をステージ１１の正規位置に簡単に固定することができるのである。
【００２２】
尚、上記実施の形態では、溝部分１９の半円の形状を、略円形の嵌合用孔１３の半径ｒ１より小さい半径ｒ２で、それぞれ異なる中心Ｏ・Ｐ・Ｑを持つ複数（３つ）の円弧ａ・ｂ・ｃが連続する半円状にし、隣り合う円弧ａ・ｂ、ｂ・ｃ同士の端部に溝部分１９を補強する窪み部２６を形成するようにしてあるが、図９に示すように例えばこの３つの円弧ａ・ｂ・ｃのうち、左右の円弧ａ・ｃの半径ｒ３を嵌合用孔１３の半径ｒ１より大きくし、この左右の円弧ａ・ｃの中心Ｑ・Ｏと中間の円弧ｂの中心Ｐを通る部分で円弧ａ・ｂ・ｃを切り換えるようにすると、なだらかで後方端部１９ｂが嵌合用孔１３の最大径（直径）部分より外側に位置するような半円状の溝部分１９を形成することができる。
更に、後方端部１９ｂが嵌合用孔１３の最大径（直径）部分より外側に位置するような半円状の溝部分１９を形成するには、図１０に示すように、嵌合用孔１３の半径ｒ１より大きい半径ｒ３の円を嵌合用孔１３の中心Ｘより後方にずらした状態で形成することも有効である。
【００２３】
また、上記実施の形態では、ディスプレー用ダミー３・４は、ポリカーボネイト製の透明シートを真空成型により半割り状の製品にしてあるがそうしたものに限られず、耐熱、耐候性に優れた素材であればその他のものを使用できるのは勿論である。
加えて、真空成形に限らずフィルムやシートの圧空成形など熱成形法で成形されるディスプレー用ダミーであれば本発明を実施することができるのはいうまでもないことである。
また、上記実施の形態では、ダミー本体１７の底部分２０に挟持用突起２３を設け、嵌合部１２の底面２４の外周に嵌合用突起部２１を設けるようにしてあるが、上述したように、窪み部２６を設けることにより、溝部分１９が補強され、嵌合部１２をステージ１１に確りと固定できるので、挟持用突起２３及び嵌合用突起部２１は省略することができる。
【図面の簡単な説明】
【００２４】
【図１】は本発明にかかる自動販売機の斜視図である。
【図２】は本発明にかかる掛合孔部分の平面図である。
【図３】は本発明にかかるディスプレー用ダミーの正面図である。
【図４】は本発明にかかるディスプレー用ダミーの側面図である。
【図５】は本発明にかかるディスプレー用ダミーの底面図である。
【図６】は本発明にかかるディスプレー用ダミーの溝部分の形状を示す概略図である。
【図７】は本発明にかかるディスプレー用ダミーを嵌合用孔に装着する途中の斜視図である。
【図８】は本発明にかかるディスプレー用ダミーを嵌合用孔に装着した時の作用を示す概略図である。
【図９】は本発明にかかるディスプレー用ダミーの溝部分の形状の変形例を示す概略図である。
【図１０】は本発明にかかるディスプレー用ダミーの溝部分の形状の変形例を示す概略図である。
【符号の説明】
【００２５】
１・・・自動販売機
３・４・・・ディスプレー用ダミー
１１・・・ステージ
１２・・・嵌合部
１３・・・嵌合用孔
１７・・・ダミー本体
１９・・・溝部分
１９ａ・・・１９の後方端部
２１・・・嵌合用突起部位置合わせ用掛合部
２３・・・挟持用突起
２６・・・窪み部
２２・２３・・・位置合わせ用被掛合部
ａ・ｂ・ｃ・・・円弧
ｒ１・ｒ２・ｒ３・・・半径
Ｏ・Ｐ・Ｑ・・・中心
【図１】
2008107973.tif 000003
【図２】
2008107973.tif 000004
【図３】
2008107973.tif 000005
【図４】
2008107973.tif 000006
【図５】
2008107973.tif 000007
【図６】
2008107973.tif 000008
【図７】
2008107973.tif 000009
【図８】
2008107973.tif 000010
【図９】
2008107973.tif 000011
【図１０】
2008107973.tif 000012